(57)【要約】【課題】使用時にＬＥＤの出射光の眩しさを抑制しつつ被照射対象の照度の低下を抑制することができるスタンド型照明装置を提供する。【解決手段】スタンド型照明装置は被照射対象を照射する。スタンド型照明装置は、１個又は複数個のＬＥＤ９２１から構成される光源部（９２）と、光源部（９２）から入射した光を前記被照射対象に向けて出射する第１光学部９３と、第１光学部９３における光が透過する光透過部よりも被照射対象側へ突出する突出部９４ａを有する筒状をした樹脂製の第２光学部９４とを有し、第２光学部９４は、第２光学部９４の中心軸に沿って設けられ且つ中心軸と直交する断面において三角波状をする凹凸９４ｅを突出部９４ａの内周面に有する。【選択図】図８
2019204804.tif 000002
【特許請求の範囲】
【請求項１】
被照射対象を照射するスタンド型照明装置において、
１個又は複数個のＬＥＤから構成される光源部と、
前記光源部から入射した光を前記被照射対象に向けて出射する第１光学部と、
前記第１光学部における前記光が透過する光透過部よりも前記被照射対象側へ突出する突出部を有する筒状をした樹脂製の第２光学部と
を有し、
前記第２光学部は、前記第２光学部の中心軸に沿って設けられ且つ前記中心軸と直交する断面において三角波状をする凹凸を前記突出部の内周面に有する
スタンド型照明装置。
【請求項２】
被照射対象を照射するスタンド型照明装置において、
１個又は複数個のＬＥＤから構成される光源部と、
前記光源部から入射した光を前記被照射対象に向けて出射する第１光学部と、
筒状をし且つ当該筒軸方向の中間に前記第１光学部を収容する樹脂製の第２光学部と
を有し、
前記第２光学部は、前記第２光学部の中心軸に沿って設けられ且つ前記中心軸と直交する断面において三角波状をする凹凸を前記第１光学部より表側の内周面に有する
スタンド型照明装置。
【請求項３】
被照射対象を照射するスタンド型照明装置において、
１個又は複数個のＬＥＤから構成される光源部と、
前記光源部から入射した光を前記被照射対象に向けて出射する第１光学部と、
前記第１光学部を収容する筒部を有し且つ前記第１光学部から前記筒部に向けて出射した光を反射させる内周面を有する樹脂製の第２光学部と
を有し、
前記第２光学部は、前記筒部の中心軸に沿って設けられ且つ前記中心軸と直交する断面において三角波状をする凹凸を前記内周面に有する
スタンド型照明装置。
【発明の詳細な説明】
【技術分野】
【０００１】
本発明は電気スタンド等のスタンド型照明装置に関する。
【背景技術】
【０００２】
近年、机上や宮付ベッドの宮等に配置して又は取り付けて使用するスタンド型照明装置（例えば、電気スタンド）の光源に省電力化に優れたＬＥＤが利用されている。
このような電気スタンドとして、光源用のＬＥＤを備えた灯体と、ＬＥＤの上方に設けられた光反射手段とを有し、ＬＥＤの光軸が水平よりも上向きに規定されていると共に光反射手段と交差させ、ＬＥＤの放射側には透光性を有するＬＥＤカバーが設けられ、このＬＥＤカバーに、ＬＥＤから被照射面（被照射対象）に直接向かう光が通過する範囲に拡散光生成手段を設け、ＬＥＤからの直接光による眩しさ及び多重影の発生を低減するようにしたものが提案されている（例えば特許文献１）。
【先行技術文献】
【特許文献】
【０００３】
【特許文献１】特開２０１５−１３８７６６号公報
【発明の概要】
【発明が解決しようとする課題】
【０００４】
上記の電気スタンドは、ＬＥＤから被照射対象に直接向かう光が通過する範囲に対応してＬＥＤカバーに拡散光生成手段を設けているため、被照射対象に直接向かう光が少なくなり、被照射対象の照度が低下するという問題がある。
本発明は、使用時にＬＥＤの出射光の眩しさを抑制しつつ被照射対象の照度を低下を抑制することができるスタンド型照明装置を提供することを目的とする。
【課題を解決するための手段】
【０００５】
本発明に係るスタンド型照明装置は、被照射対象を照射するスタンド型照明装置において、１個又は複数個のＬＥＤから構成される光源部と、前記光源部から入射した光を前記被照射対象に向けて出射する第１光学部と、前記第１光学部における前記光が透過する光透過部よりも前記被照射対象側へ突出する突出部を有する筒状をした樹脂製の第２光学部とを有し、前記第２光学部は、前記第２光学部の中心軸に沿って設けられ且つ前記中心軸と直交する断面において三角波状をする凹凸を前記突出部の内周面に有する。
本発明に係るスタンド型照明装置は、被照射対象を照射するスタンド型照明装置において、１個又は複数個のＬＥＤから構成される光源部と、前記光源部から入射した光を前記被照射対象に向けて出射する第１光学部と、筒状をし且つ当該筒軸方向の中間に前記第１光学部を収容する樹脂製の第２光学部とを有し、前記第２光学部は、前記第２光学部の中心軸に沿って設けられ且つ前記中心軸と直交する断面において三角波状をする凹凸を前記第１光学部より表側の内周面に有する。
本発明に係るスタンド型照明装置は、被照射対象を照射するスタンド型照明装置において、１個又は複数個のＬＥＤから構成される光源部と、前記光源部から入射した光を前記被照射対象に向けて出射する第１光学部と、前記第１光学部を収容する筒部を有し且つ前記第１光学部から前記筒部に向けて出射した光を反射させる内周面を有する樹脂製の第２光学部とを有し、前記第２光学部は、前記筒部の中心軸に沿って設けられ且つ前記中心軸と直交する断面において三角波状をする凹凸を前記内周面に有する。
【発明の効果】
【０００６】
上記構成によれば、第２光学部を有しているため使用時のＬＥＤの出射光の眩しさを抑制でき、第１光学部を有しているため被照射対象の照度低下を抑制できる。
【図面の簡単な説明】
【０００７】
【図１】第１の実施形態に係る電気スタンドの斜視図である。
【図２】第１の実施形態に係る灯体の分解した状態を裏側から見た斜視図である。
【図３】第１の実施形態に係る灯体の分解した状態を表側から見た斜視図である。
【図４】第１の実施形態に係る灯体の縦断面図である。
【図５】第１の実施形態に係る灯体の横断面図である。
【図６】第１の実施形態に係る第１光学部材を裏側から見た図である。
【図７】（ａ）は第１の実施形態に係る第２光学部材を表側から見た図であり、（ｂ）は第１の実施形態に係る第２光学部材を裏側から見た図である。
【図８】第１の実施形態に係る第１光学部材と第２光学部材の位置関係を説明する図である。
【図９】光路を説明する図であり、（ａ）は第１光学部材及び第２光学部材に凹凸がない場合であり、（ｂ）は第１光学部材及び第２光学部材に凹凸がある場合である。
【図１０】第２の実施形態に係る電気スタンドの斜視図である。
【図１１】第２の実施形態に係る灯体の横断面図である。
【図１２】第２の実施形態に係る灯体の縦断面図である。
【図１３】第２の実施形態に係る第１光学部材と第２光学部材の位置関係を説明する図である。
【図１４】第３の実施形態に係る電気スタンドの斜視図である。
【図１５】第３の実施形態に係る灯体の縦断面図である。
【図１６】第３の実施形態に係る灯体の分解した状態を裏側から見た斜視図である。
【発明を実施するための形態】
【０００８】
＜概要＞
実施形態に係るスタンド型照明装置は、被照射対象を照射するスタンド型照明装置において、１個又は複数個のＬＥＤから構成される光源部と、前記光源部から入射した光を前記被照射対象に向けて出射する第１光学部と、前記第１光学部から使用者の目の存在予測領域側に向けて出射された光が前記目の存在予測領域へ届くのを抑制する第２光学部とを有する。ここでの「使用者の目の存在予測領域」とは、成人男性が通常使用する場合を想定して、当該成人男性の目の存在する範囲を予測した領域である。
実施形態に係るスタンド型照明装置において、前記第１光学部は前記光源部からの光を透過する光透過部により構成され、前記第２光学部は前記光透過部よりも前記被照射対象側へ突出する突出部により構成されている。
実施形態に係るスタンド型照明装置において、前記突出部の光透過率は、前記光透過部の光透過率よりも低い。
実施形態に係るスタンド型照明装置において、前記突出部は前記光透過部側の面に凹凸を有する。
実施形態に係るスタンド型照明装置において、前記光透過部は透光性を有する樹脂製の平板部を有する第１光学部材の前記平板部により構成され、前記突出部は筒部を有する第２光学部材の前記筒部により構成され、前記光源部は前記筒部の一端側に配され、前記平板部は前記筒部の内部であって当該筒部の中心軸方向の中間に配されている。
【０００９】
＜第１の実施形態＞
１．概略
図１を用いて説明する。
スタンド型照明装置の一例である電気スタンド１は、例えば机の天板３の上面（設置面）に配され、天板３の上面の被照射対象を照射する。電気スタンド１は、天板３に配置されるベース５と、ベース５から立設するアーム７と、アーム７の先端に設けられた灯体９とを備える。なお、電気スタンド１は、灯体９を通常点灯する際の点灯回路を内蔵するアダプタ(図示省略）を介して商用電源に接続されて使用される。
ベース５は平坦状な箱形状をしている。ベース５は、灯体９の光源部であるＬＥＤユニット９２を点灯させるためのスイッチ（スイッチ回路を含む。）、電気スタンド１を安定配置するための重り（図示省略）等を備える。
【００１０】
アーム７は長尺箱状をしている。アーム７は例えば図１の矢印Ａに示すように設置面と直交する上下軸廻りに回転自在にベース５に取付られている。アーム７は例えば図１の矢印Ｂに示すように設置面と平行な第１水平軸廻りに回転自在にベース５に取付られている。アーム７は、アーム７に対して灯体９を折り畳んだ際に、後述する第２光学部材９４の表側部分が嵌る収容部７３を有している。収容部７３は具体的には凹みである。なお、第２光学部材９４を収容する時に、アーム７に確実に収容できるように、アーム７と灯体９とが互いに接触する各接触部分内に磁石を設けてもよい。
灯体９は長尺状をしている。灯体９は例えば図１の矢印Ｃに示すように第２水平軸廻りに回転自在にアーム７に取り付けられている。なお、第２水平軸はアームの短手方向と平行である。灯体９は例えば図１の矢印Ｄに示すように第２水平軸に対して直交する直交軸廻りに回転自在にアーム７に取付られている。なお、灯体９から光が出射される側を表側とする。
【００１１】
２．灯体
灯体９は、アーム７に取り付けられる筐体部と、複数個のＬＥＤから構成される光源部と、光源部から入射した大部分の光を被照射対象に向けて出射する第１光学部と、電気スタンド１の使用時に使用者の目が位置するであろう目の存在予測領域側に向けて第１光学部から出射された光が目の存在予測領域へ届くのを抑制する第２光学部とを有する。なお、第１光学部は光源部から入射した光を、上記の被照射対象に向けて出射する他、使用者の目の存在予測領域等を含む被照射対象以外の領域に向けても出射する。
第１光学部は光源部からの光を透過する光透過部により構成され、第２光学部は光透過部における被照射対象側の面よりも被照射対象側に位置する突出部により構成されている。なお、突出部の光透過率は光透過部の光透過率よりも低く、突出部は光透過部側の面に光拡散領域（ここでは凹凸である。）を有する。
【００１２】
以下具体的に説明する。
灯体９は、図２〜５に示すように、筐体部として機能する筐体９１と、光源部として機能するＬＥＤユニット９２と、第１光学部としての機能を有する第１光学部材９３と、第２光学部としての機能を有する第２光学部材９４とを有する。なお、第２光学部材９４の筒部９４ａは突出部としての機能も有する。
【００１３】
（１）筐体
主に図２〜図５を用いて説明する。
筐体９１は内部に空間を有する。この空間を利用して光源部とベース５の内部のスイッチ回路とを接続する電気ケーブル（図示省略）が配される。場合によっては点灯回路の一部又は全部を収容してもよい。筐体９１は裏筐体９６と表筐体９７とを組み合わせてなる。
【００１４】
（１−１）裏筐体
裏筐体９６は表側が開口し且つ長尺状の箱状をしている。裏筐体９６は表筐体９７用の取付部を複数個有する。ここでは取付手段として係合手段が採用されている。このため、取付部は側壁９６ｃに形成された係合突起９６ｄにより構成される（図３参照）。
裏筐体９６は、ＬＥＤユニット９２、表筐体９７及び筒状の第２光学部材９４を裏筐体９６へ固定する固定部を複数個有する。ここでは固定手段として螺合手段が採用されている。このため、固定部は、裏壁９６ｂに形成されたボス９６ｅと、ボス９６ｅに設けられたねじ穴９６ｆとにより構成される。なお、ボス９６ｅの基部にはＬＥＤユニット９２を位置決めするための位置決め突起９６ｇを有する（図３参照）。
裏筐体９６はアーム７に取り付けられる取付部を有する。取付部は側壁９６ｈから外方へと延出する円筒部分９６ｉ（図２及び図３参照）により構成される。なお。円筒部分９６ｉの内部を電気ケーブルが通る。
裏筐体９６は側壁９６ｈの内面に一対のリブ９６ｊを有する。一対のリブ９６ｊは、電気ケーブルの配線空間を確保したり、円筒部分９６ｉの周辺を補強したりする機能を有する（図３参照）。
【００１５】
（１−２）表筐体
表筐体９７は裏側が開口し且つ長尺状の箱状をしている。表筐体９７は裏筐体９６の内側に挿入される。表筐体９７は表壁９７ｂに第２光学部材９４を装着するための装着部を有する。ここでは第２光学部材９４の裏側部分が表筐体９７に嵌合する状態で装着される。このため、装着部は表壁９７ｂから凹入する凹入部９７ｃにより構成される。
【００１６】
凹入部９７ｃを表側（ＬＥＤユニット９２から光が出射される側）から見たときの形状は第２光学部材９４を表側から見たときの外周の形状と一致している。凹入部９７ｃは、表壁９７ｂから裏側へと筒状に延伸する凹入周壁９７ｄと、凹入周壁９７ｄの裏側端に設けられ且つ開口９７ｅを有する凹入底壁９７ｆとから構成される。
ここで、ＬＥＤユニット９２は凹入底壁９７ｆと裏筐体９６の裏壁９６ｂとの間に配される（図５参照）。このため、開口９７ｅはＬＥＤユニット９２から出射される光を遮らないように設けられている。ＬＥＤユニット９２のＬＥＤ９２１は一列の直線状に配されており、開口９７ｅは全体として長円形状をしている。なお、正確には第２光学部材９４の固定用のねじ部材を挿通するために長円形状の長手方向の両端から外方へ開口が延伸し（図２及び図３の「９７ｇ」である。）たり、第２光学部材９４の張出部分９４ｈに対応して長円形状の短手方向の両端から外方へと延伸し（図２及び図３の「９７ｈ」であり、凹入部分である。）たりしている。
【００１７】
凹入周壁９７ｄは補強リブ９７ｊを外面に複数個有している。なお、補強リブ９７ｊは凹入底壁９７ｆよりも裏側に突出している。補強リブ９７ｊの先端はＬＥＤユニット９２の基板９２２の短手方向の外側に位置し、ＬＥＤユニット９２の短手方向の位置ずれを規制する。
凹入底壁９７ｆはＬＥＤユニット９２の位置ずれを規制する規制部を有している。ここでは規制手段として嵌合手段が採用されている。このため、規制部は、凹入底壁９７ｆに形成された突起９７ｋにより構成される（図２参照）。
【００１８】
表筐体９７は裏筐体９６用の取付部を複数個有する。ここでは、上述のように取付手段として係合手段が採用されている。このため、取付部は側壁９７ｎに形成された係合孔９７ｍにより構成される（図２及び図３参照）。
表筐体９７は、表壁９７ｂにＬＥＤユニット９２の基板９２２の貫通孔９２２ｄに嵌合する突起９７ｐや、側壁９７ｑに裏筐体９６の一対のリブ９６ｊ用の切欠き９７ｒを有している（図２参照）。
【００１９】
（２）ＬＥＤユニット
図２及び図３を用いて説明する。
ＬＥＤユニット９２は、複数個のＬＥＤ９２１（図３参照）と、複数個のＬＥＤ９２１を実装する基板９２２とを有する。複数個のＬＥＤ９２１はここでは直線状に配列されている。基板９２２は長尺形状をしている。基板９２２は貫通孔９２２ａ,９２２ｃ，９２２ｄを有している。貫通孔９２２ａは、基板９２２の長手方向の両端に設けられ、ボス９６ｅ（裏筐体９６）が嵌合するための孔である。貫通孔９２２ｃ，９２２ｄは位置ずれ規制用の突起９７ｋ，９７ｐ（表筐体９７）が嵌合するためのものである。
【００２０】
（３）第１光学部材
図２、図３、図５及び図６用いて説明する。
第１光学部材９３は透光性を有する樹脂材料により構成されている。樹脂材料としては例えば、ポリカーボネイト等の透明材料を利用することで被照射対象の照度を高めることができる。
第１光学部材９３は少なくとも平板部９３ａを有する。ここでの第１光学部材９３は平板部９３ａの外周縁部から裏側へと延出する鍔部９３ｂを有している。
【００２１】
（３−１）平板部
第１光学部材９３は第２光学部材９４(円部９４ａ）の中心軸と平板部９３ａとが直交する状態で第２光学部材９４内に配される（図５参照）。
平板部９３ａは、ＬＥＤ９２１と対向する領域を含み且つ中間部分に位置する中間領域９３ｃと、中間領域９３ｃの外側(外周側）に位置する外周領域９３ｄとを有する（図３除く）。中間領域９３ｃは、当該領域に入射したＬＥＤ９２１からの光を被照射対象に向けて出射する。正確には、入射及び出射の際に屈折するが、被照射対象を含む領域に向けて光が出射される。このため、平板部９３ａの光透過率は高い方が好ましい。これによりＬＥＤ９２１からの中間領域９３ｃに向けて出射された光は中間領域９３ｃのみを通過して被照射対象へと届くことになる。
【００２２】
外周領域９３ｄは拡散機能を有する。具体的には、拡散機能は外周領域９３ｄの表面及び裏面の少なくとも一方に設けられた凹凸により構成される。ここでは外周領域９３ｄの裏面（ＬＥＤ９２１と対向する側の面である。）にのみ凹凸９３ｅが設けられている。凹凸９３ｅは、第１光学部材９３（平板部９３ａ）の短手方向に延伸し且つ長手方向に沿って設けられている。凹凸９３ｅは短手方向と直交する断面において三角波状をし、長手方向に凹凸を繰り返している。これにより、ＬＥＤ９２１から外周領域９３ｄに向けて出射された光は凹凸９３ｅにより拡散され、被照射対象が存在する領域外へ向かうのを抑制できる。つまり、被照射対象外への向かう光量を少なくでき、被照射対象外での眩しさを低減できる。
【００２３】
（３−２）鍔部
鍔部９３ｂは第２光学部材９４へ取り付けられるための取付部を複数個有している。ここでは取付手段として係合手段を採用している。このため、鍔部９３ｂは周壁９３ｆに形成された係合突起９３ｇより構成される。係合突起９３ｇは周壁９３ｆの内、長手方向に沿って延伸する部分に間隔をおいて２個、合計４個設けられている。
鍔部９３ｂは、第２光学部材９４、ＬＥＤユニット９２及び表筐体９７を裏筐体９６に固定（一体化）するねじ部材を配するための空間形成用の切欠き９３ｈを周壁９３ｆに有している。
【００２４】
（４）第２光学部材
図２、図３、図５及び図７用いて説明する。
第２光学部材９４は樹脂材料により構成されている。ここでは、第２光学部材９４は第１光学部材９３の平板部９３ａの光透過率よりも低くなるように構成されている。具体的には、ＡＢＳ等の樹脂材料に全反射しない色の顔料（例えば灰色、黒色等である。）を混入してなる。これにより第２光学部材９４を透過する光量を少なくできる。また、全反射しない色の顔料は光を吸収する機能も有するため、部材として第２光学部材は第１光学部材よりも低反射率部材となる。
第２光学部材９４は、長尺状のＬＥＤユニット９２に対応して、表側から見たときに長円形状をしている。第２光学部材９４は少なくとも筒部９４ａを有する。ここでの第２光学部材９４は筒部９４ａの裏側端に底部９４ｂを有する。底部９４ｂには開口９４ｃが設けられている（図３除く）。
開口９４ｃは表側から見たときに第２光学部材９４の形状に対応して長円状をしている。開口９４ｃはＬＥＤユニット９２から出射される光を遮らないように設けられている。
第２光学部材９４は筒部９４ａ内に第１光学部材９３を収容する。この状態の第１光学部材９３の中間領域９３ｃはＬＥＤユニット９２のＬＥＤ９２１に対して表側に間隔をおいて配されている。第１光学部材９３は筒部９４ａの内部であって筒部９４ａの中心軸（表裏）方向の中間に配されている（図５参照）。これにより、第２光学部材９４における第１光学部材９３よりも表側部分で突出部が構成される。
【００２５】
（４−１）筒部
筒部９４ａは内面に拡散機能を有する。拡散機能は内周面に形成された凹凸９４ｅにより構成される。凹凸９４ｅは第１光学部材９３を収容した状態において少なくとも平板部９３ａよりも表側に設けられている（図５参照）。凹凸９４ｅは中心軸方向に延伸し且つ周方向に沿って凹凸を繰り返すと共に中心軸方向に延伸している。凹凸９４ｅは筒部９４ａの中心軸と直交する断面において三角波状をしている。これにより、第１光学部材９３から筒部９４ａの内周面に向けて出射された光は凹凸９４ｅにより拡散され、被照射対象が存在する領域外へ向かうのを抑制できる。つまり、被照射対象外への向かう光量を少なくでき、被照射対象外での眩しさを低減できる。
筒部９４ａは第１光学部材９３を取り付けるための取付部を複数個有している。ここでは上述のように取付手段として係合手段を採用している。このため、筒部９４ａは周壁９４ｄに形成された係合凹み９４ｆより構成される。係合凹み９４ｆは第１光学部材９３の係合突起９３ｇに対応して長手方向に沿って延伸する部分に間隔をおいて２個、合計４個設けられている。
【００２６】
（４−２）底部
底部９４ｂは表筐体９７の凹入部９７ｃの開口９７ｅに嵌合する嵌合凸部９４ｇを有している。嵌合凸部９４ｇは開口９７ｅの形状に対応して長円環状をしている。嵌合凸部９４ｇは長手方向に延伸する部分の略中央位置から幅方向の内方へと張り出す張出部分９４ｈを有している。張出部分９４ｈは凹入部９７ｃの凹入部分９７ｈと嵌合する（図２及び図３参照）。
嵌合凸部９４ｇが表筐体９７の凹入部９７ｃの開口９７ｅに嵌合すると、嵌合凸部９４ｇの裏面がＬＥＤユニット９２の基板９２２に当接する（図５参照）。なお、嵌合凸部９４ｇが表筐体９７の凹入部９７ｃの開口９７ｅに嵌合すると、底部９４ｂの裏面は表筐体９７の凹入部９７ｃの凹入底壁９７ｆに当接し、筒部９４ａの外周面は凹入部９７ｃの凹入周壁９７ｄに当接する（図５参照）。
底部９４ｂは、第２光学部材９４、ＬＥＤユニット９２及び表筐体９７を裏筐体９６に固定（一体化）するためのねじ部材が挿通するための貫通孔９４ｉを有している（図３及び図５除く）。
【００２７】
３．ＬＥＤユニット、第１光学部材及び第２光学部材の位置関係
図８を用いて説明する。
灯体９の横断面において、ＬＥＤユニット９２のＬＥＤ９２１の発光中心Ｏは線分Ｘ１上に位置している。発光中心は、ＬＥＤ９２１の発光層であって光出射方向からＬＥＤ９２１を見たときの中心である。線分Ｘ１は第２光学部材９４の短手方向の中央を通り且つ筒部９４ａの中心軸と平行な方向に延伸する。
灯体９の横断面において、ＬＥＤ９２１の発光中心Ｏと第２光学部材９４の筒部９４ａの表側端縁Ｈ１とを結ぶ２本の線分Ｘ２の間の角度Ｆは６０［°］以上となっている。これにより被照射対象を効率よく照射できる。線分Ｘ２の間の角度Ｆは、５０［°］以上９０［°］以下の範囲が好ましい。なお、ＬＥＤ９２１の１／２照射角は６０［°］であり、角度Ｆはこの角度より大きくなっている。
灯体９の横断面において、ＬＥＤ９２１の発光中心Ｏと第１光学部材９３の平板部９３ａの裏側端縁Ｈ２とを結ぶ２本の線分Ｘ３の間の角度Ｇは１２０［°］以上となっている。これによりＬＥＤ９２１の発する光を有効に利用することができる。線分Ｘ３の間の角度Ｇは、１００［°］以上１４０［°］以下の範囲が好ましい。
【００２８】
灯体９の横断面（筒部９４ａにおける長手方向と直交する断面）において、仮想線分Ｘ４と仮想線分Ｘ５との間の角度Ｊは１５［°］以上３０［°］以下の範囲が好ましい。これにより、第１光学部材９３から出射された光が使用者の目の存在予測領域Ｋに向かうのを抑制でき、使用者の眩しさを低減できる。なお、仮想線分Ｘ４は、第２光学部材９４の表側（被照射面側）端縁（第２光学部材側端縁である。）Ｈ１と、第１光学部材９３の表側端縁であって第２光学部材９４の表側端縁Ｈ１から遠い側の端縁（第１光学部材側端縁である。）Ｉとを結ぶ仮想線である。仮想線分Ｘ５は、第１光学部材９３の平板部９３ａの被照射面側の面を示す仮想線である。
【００２９】
第２光学部材９４の筒部９４ａの凹凸９４ｅ及び第１光学部材９３の外周領域９３ｄの凹凸９３ｅは少なくとも線分Ｘ２と線分Ｘ３との間の領域に存在するのが好ましい。これにより、被照射対象外の領域に向う光の光量を少なくできる。以下、図９を用いて説明する。
凹凸を設けていない場合を同図の（ａ）に示す。
ＬＥＤ９２１から第１光学部材９９３の平板部の外周領域に向けて出射した光１Ｌ１は、第１光学部材９９３を通過して第２光学部材９９４の内周面で反射する。反射した光１Ｌ２は灯体から出射される。光１Ｌ１は、第１光学部材９９３で屈折したり吸収されたりするが、大部分の光が第１光学部材９９３を通過する。また、第２光学部材９９４に達した光は第２光学部材９９４の内部に入射するが、大部分が反射する。このようにＬＥＤ９２１から出射された光１Ｌ１は、光量を大幅に減少させることなく、灯体９０４から光１Ｌ２として出射される。
【００３０】
一方、凹凸を設けている場合を同図の（ｂ）に示す。
ＬＥＤ９２１から第１光学部材９３の平板部（９３ａ）の外周領域（９３ｄ）に向けて出射した光Ｌ１は、第１光学部材９３の凹凸９３ｅにより屈曲する光Ｌ１１と、第１光学部材９３の内部に入射する光Ｌ１２とに分光される。第２光学部材９４の内周面に達した光Ｌ１２は、内周面で反射する光Ｌ２１と、第２光学部材９４の内部に入射する光Ｌ２２とに分光される。この場合、反射した光Ｌ１１，Ｌ２１が灯体９から異なる方向に出射されることとなる。このようにＬＥＤ９２１から出射された光Ｌ１は、反射、吸収等により光量を減少させて、灯体９から光Ｌ１１，Ｌ２１として異なる方向に出射される。
【００３１】
＜第２の実施形態＞
１．概略
図１０を用いて説明する。
スタンド型照明装置の一例である電気スタンド１Ａは、例えば机の天板３の上面（設置面）に配され、天板３の上面の被照射対象を照射する。電気スタンド１Ａは、天板３に配置されるベース５Ａと、ベース５Ａから立設するアーム７Ａと、アーム７Ａの先端に設けられた灯体９Ａとを備える。
【００３２】
ベース５Ａは薄型箱形状をしている。ベース５Ａはスイッチ（スイッチ回路を含む）や重り（図示省略）を備える。アーム７Ａは、長尺筒状をし、ベース５Ａに立設され、図１０の矢印Ｎに示すように上部が前後方向に湾曲可能な構造を有する。アーム７Ａの下部内には例えば調光用の点灯回路が収容されている。
灯体９Ａは、長尺状をしている。灯体９は例えば図１０の矢印Ｌに示すように上下軸廻りに回転自在にアーム７Ａに取り付けられている。
２．灯体
主に図１１及び図１２を用いて説明する。
灯体９Ａは、ＬＥＤユニット９２Ａを筐体９１Ａの内部に有し、第１光学部材９３Ａが内周に配された第２光学部材９４ＡがＬＥＤユニット９２Ａの光取出口である筐体９１Ａの開口に設けられている。
【００３３】
（１）筐体
筐体９１Ａは、箱状をし、当該箱を表裏に２分割したような構成の表筐体９７Ａと裏筐体９６Ａとを有する。表筐体９７Ａと裏筐体９６Ａとはこれらの開口端同士を突き合わせて組み合わされる。
裏筐体９６Ａは裏側に凹入部９６Ａａを有し、この凹入部９６Ａａにカバー体９８Ａが嵌る。裏筐体９６Ａの表面（内面）には、ＬＥＤユニット９２Ａの基板９２２Ａを裏側から支持し且つ中心に貫通孔を有するボス９６Ａｂや、表筐体９７Ａの取付用であって中心にねじ孔を有するボス９６Ａｃが複数個設けられている。
【００３４】
表筐体９７Ａは第２光学部材９４Ａ用の凹入部９７Ａａを有している。凹入部９７Ａａは筒状部分９７Ａｂと底部分９７Ａｃとを有している。底部分９７Ａｃには光取出口である開口９７Ａｄが設けられている。表筐体９７Ａの裏面には裏筐体９６Ａのボス９６Ａｃに対応したエンボス９７Ａｅが複数個設けられている。エンボス９７Ａｅの底には貫通孔が設けられている。この貫通孔をボス９６Ａｃのねじ孔に挿通するねじ体のねじ部が通り、ねじ体の頭部がエンボス９７Ａｅ内に収容される。
なお、裏筐体９６Ａの開口端部と表筐体９７Ａの開口端部とには、互いに嵌合する嵌合突起（表筐体９７Ａ側である。）９７Ａｆと嵌合溝（裏筐体９６Ａ側である。）９６Ａｄを有している（図１１参照）。
カバー体９８Ａは裏筐体９６Ａのボス９６Ａｂの貫通孔を挿通するボス９８Ａａを有している（図１２参照）。ボス９８Ａａは中心軸にねじ穴を有している（図示省略）。
【００３５】
（２）ＬＥＤユニット
ＬＥＤユニット９２Ａは、複数個のＬＥＤ９２１Ａと基板９２２Ａとを有する。基板９２２Ａには固定用の貫通孔（図示省略）が設けられている。この貫通孔をカバー体９８Ａのボス９８Ａａが挿通する。基板９２２Ａの表面の外周部は表筐体９７Ａの底部分９７Ａｃの裏面と当接する。
【００３６】
（３）第２光学部材
第２光学部材９４Ａは、表側から見たときに長円状をする筒部９４Ａａと、筒部９４Ａａの裏側端に設けられた底部９４Ａｂと、底部９４Ａｂから裏側へと突出して表筐体９７Ａの凹入部９７Ａａの開口９７Ａｄに嵌合する嵌合凸部９４Ａｃを有している（図１１参照）。第２光学部材９４Ａは筒部９４Ａａの表側部分が表筐体９７Ａの凹入部９７Ａａから表側へ張り出すように筐体９１Ａに取り付けられている。筒部９４Ａａの内周面における第１光学部材９３Ａよりも表側部分に凹凸９４Ａｄが設けられている。底部９４Ａｂの裏面は表筐体９７Ａの凹入部９７Ａａの底部分９７Ａｃの表面に当接する。
底部９４Ａｂはカバー体９８Ａのボス９８Ａａのねじ穴に対応して貫通孔を有している（図示省略）。表筐体９７Ａ、裏筐体９６Ａ、カバー体９８Ａ及び第２光学部材９４Ａを一体に結合するためのねじ体（図示省略）は第２光学部材９４Ａの底部９４Ａｂの貫通孔を挿通してねじ穴に螺合する。なお、ねじ穴はカバー体９８Ａのボス９８Ａａに形成され、カバー体９８Ａは第２光学部材９４の底部９４Ａｂの裏面に当接する。
【００３７】
（４）第１光学部材
第１光学部材９３Ａは、平板部９３Ａａと、平板部９３Ａａの外周縁部から裏側に突出する鍔部９３Ａｂを有している（図１１参照）。平板部９３Ａａは、ＬＥＤ９２１Ａと対向する領域を含む中間領域９３Ａｃと、その外周に位置する外周領域９３Ａｄとを有する。外周領域９３Ａｄの裏面には凹凸９３Ａｅが設けられている（図１１参照）。第１光学部材９３Ａは、鍔部９３Ａｂの外面の係合部（例えば凸部であり、その図示を省略する。）が第２光学部材９４Ａの筒部９４Ａａの係合部（例えば凹部であり、その図示を省略する。）に係合することで、第２光学部材９４Ａに取り付けられる（図示省略）。
【００３８】
３．ＬＥＤユニット、第１光学部材及び第２光学部材の位置関係
図１３を用いて説明する。
灯体９Ａの横断面において、ＬＥＤユニット９２ＡのＬＥＤ９２１Ａの発光中心ＯＡは線分Ｘ１Ａ上に位置している。線分Ｘ１Ａは第２光学部材９４Ａの短手方向の中央を通り且つ筒部９４Ａａの中心軸と平行な方向に延伸する。
灯体９Ａの横断面において、ＬＥＤ９２１Ａの発光中心ＯＡと第２光学部材９４Ａの筒部９４Ａａの表側端縁Ｈ１Ａとを結ぶ２本の線分Ｘ２Ａの間の角度ＦＡは６０［°］以上となっている。これにより被照射対象を効率よく照射できる。学習用のＪＩＳ規格ＡＡ形に対応する場合は、線分Ｘ２Ａの間の角度ＦＡは、７５［°］以上１０５［°］以下の範囲が好ましい。
灯体９Ａの横断面において、ＬＥＤ９２１Ａの発光中心ＯＡと第１光学部材９３Ａの平板部９３Ａａの裏側端縁Ｈ２Ａとを結ぶ２本の線分Ｘ３Ａの間の角度ＧＡは１２０［°］以上となっている。これによりＬＥＤ９２１Ａの発する光を有効に利用することができる。学習用のＪＩＳ規格ＡＡ形に対応する場合は、線分Ｘ３Ａの間の角度ＧＡは、１２０［°］以上１５０［°］以下の範囲が好ましい。
【００３９】
灯体９Ａの横断面（筒部９４Ａａにおける長手方向と直交する断面）において、仮想線分Ｘ４Ａと仮想線分Ｘ５Ａとの間の角度ＪＡは、学習用のＪＩＳ規格ＡＡ形に対応する場合は、１０［°］以上２５［°］以下の範囲が好ましい。これにより、使用者の目の位置予定領域に向かう光を抑制でき、使用者の眩しさを低減できる。なお、仮想線分Ｘ４は、第２光学部材９４Ａの表側（被照射対象側）端縁（第２光学部材側端縁である。）Ｈ１Ａと、第１光学部材９３Ａの表側端縁であって第２光学部材９４Ａの表側端縁Ｈ１Ａから遠い側の端縁（第１光学部材側端縁である。）ＩＡとを結ぶ仮想線である。仮想線分Ｘ５Ａは、第１光学部材９３Ａの平板部Ａａの被照射対象側の面を示す仮想線である。
【００４０】
＜第３の実施形態＞
１．概略
図１４を用いて説明する。
スタンド型照明装置の一例である電気スタンド１Ｂは、設置面に配置されるベース５Ｂと、ベース５Ｂから立設するアーム７Ｂと、アーム７Ｂの先端に設けられた灯体９Ｂとを備える。
ベース５Ｂは薄型箱形状をしている。ベース５Ｂはスイッチ（スイッチ回路を含む）や重り（図示省略）を備える。アーム７Ｂは、長尺パイプ状をし、灯体９Ｂが図１４の矢印Ｐ，Ｑ，Ｒに示すように、湾曲可能な構造（所謂フレキシブルパイプである。）を有する。
【００４１】
２．灯体
主に図１５及び図１６を用いて説明する。
灯体９Ｂは、ＬＥＤユニット９２Ｂを筐体９１Ｂの内部に有し、第１光学部材９３Ｂが内周に配された第２光学部材９４ＢがＬＥＤユニット９２Ｂの光取出口である筐体９１Ｂの開口に設けられている。ＬＥＤユニット９２Ｂの光の出射方向から灯体９Ｂを見たときに灯体９Ｂは長円形状をし、灯体９Ｂの長手方向の端部がアーム7Ｂに固定されている。
【００４２】
（１）筐体
筐体９１Ｂは箱状をしている。筐体９１Ｂは、裏側に開口を有する箱状の表筐体９７Ｂと、表側に開口を有する箱状の裏筐体９６Ｂとからなり、表筐体９７Ｂが裏筐体９６Ｂに挿入される。
表筐体９７Ｂは第２光学部材９４Ｂの筒部９４Ｂａ用の円形状の開口９７Ｂａと、当該開口周縁部から裏側に延出する円筒部９７Ｂｂとを有している。表筐体９７Ｂの裏面（内面）にはＬＥＤユニット９２Ｂ、第２光学部材９４Ｂを固定するためのねじ穴９７Ｂｃを有するボス９７Ｂｄを有している（図１６参照）。裏筐体９６Ｂへの表筐体９７Ｂの取付は、裏筐体９６Ｂの周壁内面の係合部（例えば凸部であり、その図示を省略する。）が表筐体９７Ｂの周壁外面の係合部（例えば凹部９７Ｂｅであり、図１６参照。）に係合することで行われる。
【００４３】
（２）ＬＥＤユニット
ＬＥＤユニット９２Ｂは複数個のＬＥＤ９２１Ｂと基板９２２Ｂとを有する。基板９２２Ｂには固定用の貫通孔９２２Ｂａが設けられている。この貫通孔９２２Ｂａは、表筐体９７Ｂのボス９７Ｂｄのねじ穴９７Ｂｃに螺合するねじ体（図示省略）が挿通する。複数個のＬＥＤ９２１Ｂは円周上であってその周方向に間隔をおいて配されている（図示省略）。基板９２２Ｂは、ＬＥＤ９２１Ｂ以外に、当該ＬＥＤ９２１Ｂを調光させるための点灯回路を構成する電子部品（図示省略）が実装されている。
【００４４】
（３）第２光学部材
第２光学部材９４Ｂは、表側から見たとき円状をする筒部９４Ｂａと、筒部９４Ｂａの裏側端に設けられた板状部９４Ｂｂと、板状部９４Ｂｂから表側に凹入して基板９２２Ｂの電子部品を収容（被覆）する凹部９４Ｂｃと、板状部９４Ｂｂの外周縁部から裏側へと突出する鍔部９４Ｂｄとを有している。板状部９４Ｂｂが表筐体９７Ｂの裏側に位置する状態で、筒部９４Ｂａは表筐体９７Ｂの円筒部９７Ｂｂに内嵌し、その裏側部分が開口９７Ｂａから表側へと張り出す（図１５参照）。
筒部９４Ｂａの内周面における第１光学部材９３Ｂよりも表側部分に凹凸９４Ｂｅが設けられている。板状部９４Ｂｂの裏面はＬＥＤユニット９２Ｂの基板９２２Ｂの表面と当接し、鍔部９４Ｂｄが基板９２２Ｂの外周縁の外側に位置する。
板状部９４Ｂｂには表筐体９７Ｂのボス９７Ｂｄに対応して貫通孔９４Ｂｆが設けられている。板状部９４Ｂｂの貫通孔９４Ｂｆの周辺部は表側に半円筒状に突出している。半円筒状に突出する部分は凹部９４Ｂｃの周壁の一部を構成する。半円筒状部分には表筐体９７Ｂのボス９７Ｂｄが嵌合する（図示省略）。
【００４５】
（４）第１光学部材
第１光学部材９３Ｂは、円形状の平板部９３Ｂａと、平板部９３Ｂａの外周縁部から裏側に円筒状に突出する鍔部９３Ｂｂを有している。平板部９３Ｂａは、ＬＥＤ９２１Ｂと対向する領域を含む中間領域９３Ｂｃと、その外周に位置する外周領域９３Ｂｄとを有する。外周領域９３Ｂｄの裏面には凹凸９３Ｂｅが設けられている。第１光学部材９３Ｂは、鍔部９３Ｂｂの外面の係合部（例えば凸部９３Ｂｆである。）が第２光学部材９４Ｂの筒部９４Ｂａの係合部（例えば凹部９４Ｂｇである。）に係合することで、第２光学部材９４Ｂに取り付けられる（図１６参照）。
３．第１光学部材と第２光学部材の位置関係
第１光学部材９３Ｂと第２光学部材９４Ｂの位置関係は、筒部９４Ｂａの中心軸を含む断面において、第２光学部材９４Ｂの筒部９４Ｂａにおける被照対象側の第２光学部材側端縁と、第１光学部材９３Ｂの被照射対象側の端縁であって第２光学部材側端縁から遠い側の端縁（第１光学部材側端縁）とを結ぶ仮想線分は、第１光学部材９３Ｂの平板部９３Ｂａの中間領域９３Ｂｃの被照射対象側の面に対して、１０［°］以上２５［°］以下の範囲の角度で傾斜している。
【００４６】
＜変形例＞
１．ＬＥＤユニット
複数個のＬＥＤの配置は、実施形態で説明した一列直線状や一列円環状以外でもよい。例えば、複数個のＬＥＤを２列状にして、光出射方向から見て、直線、曲線、円環や多角環等の環状、Ｕ字やＶ字状に配置してもよい。
実施形態では説明しなかったが、ＬＥＤユニットを点灯させる点灯回路は、ベース、アーム及び灯体の少なくとも１つに設けられてもよいし、ベース、アーム及び灯体に分散して設けてもよい。さらに、発光色の異なる２種類以上のＬＥＤを用いて調色機能を点灯回路に含めてもよい。
【００４７】
２．第１光学部材
第１光学部材の平板部の凹凸は、実施形態ではＬＥＤと対向する側の面に設けられていたが、凹凸は反対側の面にのみあってもよいし、ＬＥＤ側の面とその反対側の面との両面にあってもよい。但し、ＬＥＤから発せられた光をＬＥＤ側に反射させずに平板部を通過させるには、ＬＥＤ側の面に凹凸があった方がよい。
凹凸は凹凸の断面が三角波となるように設けられていたが、横断面が他の形状であってもよい。但し、光の取出効率を考慮すると、ＬＥＤから出射された光がＬＥＤ側に反射し難い形状が好ましい。このような形状としては、ＬＥＤ側に頂点を有するような円錐や多角錐等の錐状や三角波状がある。
凹凸の高低差、つまり、谷（最低点）となる部分を結んだ仮想面と、頂(最高点）となる部分を結んだ仮想面との距離は、０．４[ｍｍ]以上１．０[ｍｍ]以下の範囲が好ましく、０．５[ｍｍ]以上０．８[ｍｍ]以下の範囲がより好ましい。凹凸のピッチ、つまり、隣接する最高点となる部分の間隔は、０．５[ｍｍ]以上１．５[ｍｍ]以下の範囲が好ましく、０．８[ｍｍ]以上１．２[ｍｍ]以下の範囲がより好ましい。なお、凹凸の高低差及びピッチは、一定でもよいし、一定でなくてもよい。
さらに、被照射対象の照度を高めるよりもＬＥＤの出射光の眩しさを抑制することに重点を置く場合は、例えば第１光学部材の平板部を全て凹凸としてもよい。
第１光学部材の形状は、平板部を有していればよく、全体としての第１光学部材の形状は、長円形状、円形状の他、矩形状、多角形状、楕円形状等であってもよい。平板部は、厚みが一定であってもよいし、中央が薄く且つ端に移るに従って厚くなるように厚みを変化させてもよい。例えば、平板部の厚みを調整して、平板部にレンズ機能を持たせもてもよい。
【００４８】
３．第２光学部材
第２光学部材の筒部の凹凸は、凹凸の断面が三角波となるように設けられていたが、横断面が他の形状であってもよい。但し、光の取出効率を考慮すると、平板部から出射された光が平板部側に反射しないような形状が好ましい。このような形状としては、筒部の中心軸側に頂点を有するような円錐や多角錐等の錐状や三角波状がある。なお、筒部の凹凸は第１光学部材の平板部の裏側にあってもよい。
凹凸の高低差、つまり、谷（最低点）となる部分を結んだ仮想面と、頂(最高点）となる部分を結んだ仮想面との距離は、０．３[ｍｍ]以上１．２[ｍｍ]以下の範囲が好ましく、０．４[ｍｍ]以上０．９[ｍｍ]以下の範囲がより好ましい。凹凸のピッチ、つまり、隣接する最高点となる部分の間隔は、０．５[ｍｍ]以上１．５[ｍｍ]以下の範囲が好ましく、０．８[ｍｍ]以上１．２[ｍｍ]以下の範囲がより好ましい。なお、凹凸の高低差及びピッチは、一定でもよいし、一定でなくてもよい。
また、隣接する凸間に位置する溝状の凹みは延伸方向に深さが変わってもよい。例えば、溝状の凹は、延伸方向の一端(例えば第１光学部材側の端である。）と、延伸方向の両端間の中央とに頂（最高点）があり、延伸方向の他端に谷（最低点）があるように形成されていてもよい。
【００４９】
第２光学部材の形状は、筒部を有していればよく、全体としての形状は特に限定するものではない。筒部は、中心軸側の延伸方向から見たとき、長円形状、円形状の他、矩形状、多角形状、楕円形状等であってもよい。筒部は、中心軸上を一端から他端に移るに従って内周面間の距離が変化するようにしてもよい。例えば中心軸上を裏側に位置する裏側端から表側に位置する表側端に移るに従って内周面間の距離を大きくして広い範囲を被照射対象としてもよいし、中心軸上を裏側端から表側端に移るに従って内周面間の距離を小さくして狭い範囲を被照射対象としてもよい。
実施形態での筒部９４ａ，９４Ａａ，９４Ｂａは、平板部９３ａ，９３Ａａ，９３Ｂａよりも光透過率が低い材料により構成されている。しかしながら、筒部は、平板部と同じ材料や、平板部より光透過率の高い材料により構成されてもよい。この場合、筒部の内面に反射膜を形成することで、筒部の光の透過を抑制できる。
筒部は筐体からＬＥＤの光の出射方向に張り出すように設けられていたが、筒部の表側端部が筐体と面一状であってもよい。つまり、平板部が筒部に対して筒部の表側端部より裏側に移った位置に存在していればよい。
【００５０】
４．平板部と筒部
実施形態では、筒部９４ａ，９４Ａａ，９４Ｂａと平板部９３ａ，９３Ａａ，９３Ｂａとは別部材で構成したが１つの部材として構成してもよいし、筒部を筐体の一部として構成してもよい。
実施形態における平板部９３ａ、９３Ａａ，９３Ｂａは、筒部９４ａ，９４Ａａ，９４Ｂａ内に配されていたが、筒部の一端側であって筒部の外部に配されてもよい。但し、筒部は平板部よりも被照射対象側に位置している必要がある。
【００５１】
５．スタンド型照明装置
実施形態では、スタンド型照明装置の一例として机の天板に載置されて使用される電気スタンドについて説明している。しかし、これらのスタンド型照明装置は、例えば、ベッド周辺に配されキャビネット等に載置されてもよいし、作業台に載置されてもよい。実施形態の電気スタンドはベースを有していたが、照明装置を目的場所に設置（取付）できればよく、ベースの代わりにクリップを備え、テーブル、旋盤等の機械、治療台等に取り付けるようにしてもよい。
【符号の説明】
【００５２】
１      電気スタンド
９      灯体
９１    筐体
９２    ＬＥＤユニット（光源部）
９３    第１光学部材
９３ａ  平板部
９３ｃ  中間領域
９３ｄ  外周領域
９３ｅ  凹凸
９４    第２光学部材
９４ａ  筒部
９４ｅ  凹凸
【図１】
2019204804.tif 000003
【図２】
2019204804.tif 000004
【図３】
2019204804.tif 000005
【図４】
2019204804.tif 000006
【図５】
2019204804.tif 000007
【図６】
2019204804.tif 000008
【図７】
2019204804.tif 000009
【図８】
2019204804.tif 000010
【図９】
2019204804.tif 000011
【図１０】
2019204804.tif 000012
【図１１】
2019204804.tif 000013
【図１２】
2019204804.tif 000014
【図１３】
2019204804.tif 000015
【図１４】
2019204804.tif 000016
【図１５】
2019204804.tif 000017
【図１６】
2019204804.tif 000018